(57)【要約】【課題】手等が挟まれることによる手等の損傷を可及的に防止するようにしたサイドレールを提供する。【解決手段】ベッド２０に取り付けられるサイドレール１０であって、ベッド２０のフレーム２１に設けられた取り付け穴２２に取り付けられる底部支持部材１１と、底部支持部材１１の一端に植設された支持体ポール１２と、ベッド１０上のマット１３の上面と並行に形成され、互いに離間し、垂直方向の区切りのない複数の平行枠部１３ａ〜１３ｄを有し、支持体ポール１２の上部に回動支点１４を有するする枠体１３と、底部支持部材１１の他端に設けられ、枠体１３に所定の力が加わると枠体底部１１から枠体１３を離脱させて枠体１３を回動支点１４で回動させる安全機構部１６と、を具備する。【選択図】  図１
2018023525.tif 000002
【特許請求の範囲】
【請求項１】
ベッドに取り付けられるサイドレールであって、
前記ベッドのフレームに設けられまたはフレームに取り付けられた取り付け穴に挿入される底部支持部材と、
前記底部支持部材の一端に植設された支持体ポールと、
前記ベッド上のマットの上面と並行に形成され、互いに離間し、垂直方向の区切りのない複数の平行枠部を有し、前記支持体ポールの上部に回動支点を有するする枠体と、
前記底部支持部材の他端に設けられ、前記枠体に所定の力が加わると前記枠体底部から前記枠体を離脱させて前記枠体を前記回動支点で回動させる安全機構部と、
を具備ことを特徴とするサイドレール。
【請求項２】
前記安全機構部は、前記底部支持部材から突出したピンと、前記枠体の前記ピンに対応する部分に形成されたスリットにより、前記ピンを弾発的に把持する把持部とを有することを特徴とする請求項１に記載のサイドレール。
【発明の詳細な説明】
【技術分野】
【０００１】
この発明は、ベッドに取り付けられるサイドレールに関し、詳しくは手等が挟まれたことによる手等の損傷を防止するようにしたサイドレールに関する。
【背景技術】
【０００２】
一般に、ベッド、特に介護用ベッド等においては、被介護者がベッドから落ちるのを防止するためにサイドレールが取り付けられている。
【０００３】
このサイドレールとしては、例えば、特許文献１に記載されたものが知られている。この特許文献１に記載されたサイドレールは、円筒状のパイプ材により形成され、各コーナー部の曲率半径が略等しい枠部１１ａの内周側に、相互に平行で上下方向に延びる複数のパイプ材を配置した柵部１１ｂが設けられており、枠部１１ａの下部にはベッドのサイドフレームに係合する１対の脚部１１ｃが設けられているサイドレール本体１１の上部のコーナー部に、その垂直部及び水平部に嵌合されるＬ字状をなして屈曲し、この屈曲部の外側曲率半径が枠部１１ａのコーナー部の外側曲率半径よりも小さいコーナースペーサー２を取り付けて構成されている。
【０００４】
さて、介護用ベッド等においては、被介護者がベッド上で容易に起き上がれるようにした電動駆動による背上げ機能を有している。このような背上げ機能を有するベッドにサイドレールを取り付けた場合で、上記背上げ機能を駆動すると、被介護者の手等がサイドレールの隙間から手等が抜けなくなり、最悪の場合は手等が骨折等の破損をする虞があった。
【先行技術文献】
【特許文献】
【０００５】
【特許文献１】特開２００５−１５２０５７号公報
【発明の概要】
【発明が解決しようとする課題】
【０００６】
そこで、この発明は、手等が挟まれることによる手等の損傷を可及的に防止するようにしたサイドレールを提供することを目的とする。
【課題を解決するための手段】
【０００７】
上記目的を達成するため、請求項１の発明は、ベッドに取り付けられるサイドレールであって、前記ベッドのフレームに設けられまたはフレームに取り付けられた取り付け穴に取り付けられる底部支持部材と、前記底部支持部材の一端に植設された支持体ポールと、前記ベッド上のマットの上面と並行に形成され、互いに離間し、垂直方向の区切りのない複数の平行枠部を有し、前記支持体ポールの上部に回動支点を有するする枠体と、前記底部支持部材の他端に設けられ、前記枠体に所定の力が加わると前記枠体底部から前記枠体を離脱させて前記枠体を前記回動支点で回動させる安全機構部と、を具備ことを特徴とする。
【０００８】
請求項２の発明は、請求項１の発明において、前記安全機構部は、前記底部支持部材から突出したピンと、前記枠体の前記ピンに対応する部分に形成されたスリットにより、前記ピンを弾発的に把持する把持部とを有することを特徴とする。
【発明の効果】
【０００９】
この発明によれば、ベッドに取り付けられるサイドレールであって、前記ベッドのフレームに設けられまたはフレームに取り付けられた取り付け穴に取り付けられる底部支持部材と、前記底部支持部材の一端に植設された支持体ポールと、前記ベッド上のマットの上面と並行に形成され、互いに離間し、垂直方向の区切りのない複数の平行枠部を有し、前記支持体ポールの上部に回動支点を有するする枠体と、前記底部支持部材の他端に設けられ、前記枠体に所定の力が加わると前記枠体底部から前記枠体を離脱させて前記枠体を前記回動支点で回動させる安全機構部と、を具備して構成したので、被介護者の手等がサイドレールの隙間に手等が挟まれた状態で背上げ機能が駆動されても、サイドレールの枠体は安全機構部により枠体底部から離脱して回動支点で回動するので、サイドレールの隙間から手等が抜けなくなり、手等が損傷する事態を防止することができる。
【図面の簡単な説明】
【００１０】
【図１】図１は、この発明に係わるサイドレールの一実施例を示す平面図である。
【図２】図２は、図１に示したサイドレールの上面図（Ａ）、左側面図（Ｂ）、右側面図（Ｃ）である。
【図３】図３は、図１に示したサイドレールのベッドへの取り付け状態を示す側面図である。
【図４】図４は、図１に示したサイドレールの動作を説明する図である。
【図５】図５は、図１に示したサイドレールが取り付けられるベッドの背上げ機能を説明する図である。
【図６】図６は、図１に示したサイドレールの動作をベッドの背上げ機能の動作とともに説明する図である。
【発明を実施するための形態】
【００１１】
以下、この発明に係わるサイドレールの実施の形態を添付図面を参照して詳細に説明する。
【００１２】
図１は、この発明に係わるサイドレールの平面図であり、図２は、図１に示したサイドレールの上面図（Ａ）、左側面図（Ｂ）、右側面図（Ｃ）、図３は、図１に示したサイドレールのベッドへの取り付け状態を示す側面図である。
【００１３】
図１乃至図３において、このサイドレール１０は、介護用ベッド２０等に取り付けられるもので、ベッド２０のフレーム２１に設けられた取り付け穴２２に取り付けられる底部支持部材１１と、底部支持部材１１の一端に植設された支持体ポール１２と、ベッド２０の上面と並行に形成され、互いに離間し、垂直方向の区切りのない複数の平行枠部１３ａ〜１３ｄを有し、支持体ポール１２の上部に回動支点１４を有する枠体１３と、底部支持部材１１の他端に設けられ、枠体１３に所定の力が加わると枠体底部１１から枠体１３を離脱させて枠体１３を回動支点１４で回動させる安全機構部１６と、を具備して構成される。
【００１４】
ここで、このサイドレール１０は、枠体底部１１の底面に植設された２本の取り付けピン１１ａを、ベッド２０のフレーム２１に設けられた取り付け穴２２に挿入し、ベッド２０のフレーム２１の下側から取り付けねじ１５を締め付けることにより取り付けられる。
【００１５】
安全機構部１６は、図１に示すように、底部支持部材１１の他端から突出したピン１６ｂと、枠体１３のピン１６ｂに対応する部分に形成されたスリット１６ａにより、ピン１６ｂを弾発的に把持する把持部１６ｃとを有して構成される。
【００１６】
上記構成において、サイドレール１０の枠体１３の隙間に手等が挟まれて、枠体１３に所定以上の力が加わると、安全機構部１６のスリット１６ａの弾性変形により、把持部１６ｃからピン１６ｂが外れ、枠体１３がこの安全機構部１６で底部支持部材１１から離脱して、枠体１３は、回動支点１４を回動軸として回動する。
【００１７】
図４は、図１に示したサイドレールの動作を説明する図である。
【００１８】
この実施例のサイドレール１０の枠体１３は、上述したように、支持体ポール１２の上部に形成された回動支点１４で軸支され、他端に枠体１３に所定の力が加わると枠体底部１１から枠体１３を離脱させて枠体１３を回動支点１４で回動させる安全機構部１６が設けられている。
【００１９】
この安全機構部１６は、サイドレール１０の枠体１３の隙間に手等が挟まれて、枠体１３に所定以上の力が加わると動作する。すなわち、サイドレール１０の枠体１３に所定以上の力が加わると、安全機構部１６のスリット１６ａの弾性変形により、把持部１６ｃからピン１６ｂが外れ、これにより枠体１３がこの安全機構部１６で底部支持部材１１から離脱して、枠体１３は、回動支点１４を回動軸として図４に示す矢印Ａ方向に回動する。
【００２０】
図５は、図１に示したサイドレール１０が取り付けられるベッド２０の背上げ機能を説明する図であり、図６は、図１に示したサイドレールの動作をベッドの背上げ機能の動作とともに説明する図である。
【００２１】
この実施例のベッド２０は、被介護者がベッド２０のマット２３上で容易に起き上がれるようにした電動駆動による背上げ機能が設けられている。この背上げ機能は、電動駆動により、ベッド２０のマット２３の上部（被介護者の頭部側）の領域を図５に矢印Ｂに示すように選択的に起立させるように回動する。
【００２２】
このとき、この実施例のサイドレール１０によれば、サイドレール１０の枠体１３の隙間に手等が挟まれていた状態で、上記電動駆動による背上げ機能を駆動させても、サイドレール１０の枠体１３の隙間に挟まれた手等が破損することはない。
【００２３】
すなわち、上記電動駆動による背上げ機能の駆動により、ベッド２０のマット２３の上部が図５に矢印Ｂに示すように回動し、この状態で、サイドレール１０の枠体１３の隙間に手等が挟まれていると、サイドレール１０の安全機構部１６に所定以上の力が加わり、これにより、安全機構部１６の枠体１３と底部支持部材１１との結合が外れ、枠体１３は、回動支点１４を回動軸として図４に示す矢印Ａ方向に回動する。
【００２４】
ここで、枠体１３は、ベッド２０上のマット２３の上面と並行で互いに離間し、垂直方向の区切りのない複数の平行枠部１３ａ〜１３ｄから構成されており、また、枠体１３の回動支点１４は、支持体ポール１２の上部に設けられているので、ベッド２０のマット２３の上部が上方に回動しても、枠体１３の平行枠部１３ａ〜１３ｄとベッド２０のマット２３の上部との隙間は、図６に示すように十分確保され、また、平行枠部１３ａ〜１３ｄの間に挟まれた手等は、平行枠部１３ａ〜１３ｄに沿って移動させることができるので、これにより、手等が挟まれて破損する虞は可及的に減少する。
【００２５】
なお、上述した実施の形態においては、サイドレール１０をベッド２０に取り付けるに際して、ベッド２０のフレーム２１に設けられた取り付け穴２２を用いたが、ベッド２０に適当な取り付け穴がない場合は、別途取り付け穴をベッドフレーム２１に取り付け、この取り付け穴を用いてサイドレール１０をベッド２０に取り付けるように構成してもよい。
【００２６】
以上が本発明の代表的な実施形態の一例であるが、本発明は、上記実施例及び図面に示す実施例に限定することなく、その要旨を変更しない範囲内で適宜変形して実施できるものである。
【符号の説明】
【００２７】
１０    サイドレール
１１    底部支持部材
１２    支持体ポール
１３    枠体
１４    回動支点
１５    取り付けねじ
１６    安全機構部
２０    ベッド
２１    フレーム
２２    取り付け穴
２３    マット
【図１】
2018023525.tif 000003
【図２】
2018023525.tif 000004
【図３】
2018023525.tif 000005
【図４】
2018023525.tif 000006
【図５】
2018023525.tif 000007
【図６】
2018023525.tif 000008